(57)【要約】【課題】照明器具内の温度上昇を抑制し、環形蛍光ランプの温度特性による全光束の低下を抑制できるとともに、照明器具を小形化することができる照明器具を提供する。【解決手段】器具本体14とセード15との間の密閉空間16に、定格点灯および高出力点灯可能な二重定格を有する環形蛍光ランプ12を内包する。密閉空間16の容積は６０００〜１５０００ｃｍ3の範囲とする小形の照明器具11である。環形蛍光ランプ12は定格点灯させることにより、照明器具11内の温度上昇を抑制し、環形蛍光ランプ12の温度特性による全光束の低下を抑制する。【選択図】図１
2011018475.tif 000002
【特許請求の範囲】
【請求項１】
定格点灯および高出力点灯可能な二重定格を有する環形蛍光ランプを配置する器具本体と；
環形蛍光ランプを定格点灯させる点灯装置と；
器具本体との間に容積が６０００〜１５０００ｃｍ3の範囲の密閉空間を形成して環形蛍光ランプおよび点灯装置を内包するセードと；
を具備していることを特徴とする照明器具。
【請求項２】
セードを透過して外部へ照射する光は、環形蛍光ランプの全光束の５％以内の低下範囲にある
ことを特徴とする請求項１記載の照明器具。
【請求項３】
定格点灯する環形蛍光ランプから放出される光の反射率が９０％以上の高反射特性を有する反射面を具備する
ことを特徴とする請求項１または２記載の照明器具。
【発明の詳細な説明】
【技術分野】
【０００１】
本発明は、定格点灯および高出力点灯可能な二重定格を有する環形蛍光ランプを用いる照明器具に関する。
【背景技術】
【０００２】
従来、環形蛍光ランプを使用する住宅用の照明器具では、器具本体とセードとの間に密閉空間を形成して環状蛍光ランプおよび点灯装置を内包した密閉形の照明器具が多く用いられている（例えば、特許文献１参照。）。
【０００３】
また、住宅用の照明器具において、ＪＩＳ Ｃ７６１８に定義されているように、定格点灯および高出力点灯が可能な二重定格を有する環形蛍光ランプを用いた照明器具がある。
【０００４】
環形蛍光ランプが放出する光の色温度は５０００Ｋ程度が標準とされており、この色温度で快適な照明空間を演出するには、３００ｌｘ以上の平均照度が必要となるため、二重定格を有する環形蛍光ランプを使用する照明器具では、通常、環形蛍光ランプを高出力点灯させている。
【先行技術文献】
【特許文献】
【０００５】
【特許文献１】特開２００２−１４０９１８号公報（第３−４頁、図１−２）
【発明の概要】
【発明が解決しようとする課題】
【０００６】
しかしながら、密閉形の照明器具において、二重定格を有する環形蛍光ランプを高出力点灯させる場合、照明器具内の温度が上昇し、環形蛍光ランプの温度特性によって全光束が低下する問題がある。
【０００７】
そのため、照明器具の密閉空間の容積を大きくして照明器具内の温度上昇を抑制する必要があり、照明器具が大形になっている。
【０００８】
本発明は、このような点に鑑みなされたもので、照明器具内の温度上昇を抑制し、環形蛍光ランプの温度特性による全光束の低下を抑制できるとともに、照明器具を小形化することができる照明器具を提供することを目的とする。
【課題を解決するための手段】
【０００９】
請求項１記載の照明器具は、定格点灯および高出力点灯可能な二重定格を有する環形蛍光ランプを配置する器具本体と；環形蛍光ランプを定格点灯させる点灯装置と；器具本体との間に容積が６０００〜１５０００ｃｍ3の範囲の密閉空間を形成して環形蛍光ランプおよび点灯装置を内包するセードと；を具備しているものである。
【００１０】
定格点灯とは、管径１４〜１８ｍｍの環形蛍光ランプの管内径、管外径および環径から導き出せる数値から口金部分を除いた長さを放電路長とし、この放電路長当たりの電力を計算すると、図６の表に示すように、高出力点灯に比べて低い、０．０３０〜０．０３５Ｗの範囲と定義することができる。また、ランプ電流が０．２〜０．３Ａで点灯する環形蛍光ランプであれば、定格点灯と定義することができる。さらに、定格点灯および高出力点灯可能な二重定格を有する環形蛍光ランプは、ＪＩＳ Ｃ７６１８に定義されている。環形蛍光ランプは１本でもよいし、定格電力の異なる複数本の環形蛍光ランプを用いても構わない。また、環形とは、円環状でも四角形環状でも構わない。
【００１１】
器具本体は、例えば、環形蛍光ランプを保持するホルダ、環形蛍光ランプを接続するソケット、および環形蛍光ランプの光を反射させる反射面などを備えていてもよいが、本発明の必須の構成ではない。
【００１２】
点灯装置は、例えば、環形蛍光ランプを１０ｋＨｚ以上の高周波で点灯させるインバータ回路などを備える。
【００１３】
セードは、例えば、光透過性および拡散性を有する乳白色の樹脂にて形成される。
【００１４】
密閉空間は、外部との通気性がなくてもあっても構わない。密閉空間の容積は、セードの外径と高さとから導き出したものであり、デザイン性や配光性のための凹凸は考慮していない。
【００１５】
密閉空間の容積が６０００ｃｍ3より小さいと、環形蛍光ランプを定格点灯させた場合でも照明器具内の温度上昇の抑制が十分できなくなり、環形蛍光ランプの光束が低下する。一方、密閉空間の容積が１５０００ｃｍ3より大きいと、照明器具内の温度上昇を抑制できるものの最適温度で使用できないため、環形蛍光ランプの光束が低下し、また、照明器具が大形化してしまう。したがって、密閉空間の容積は６０００〜１５０００ｃｍ3の範囲が、照明器具内の温度上昇の抑制と小形化とを両立するうえで最適となる。より好適な範囲は、７５００〜１００００ｃｍ3である。
【００１６】
請求項２記載の照明器具は、請求項１記載の照明器具において、セードを透過して外部へ照射する光は、環形蛍光ランプの全光束の５％以内の低下範囲にあるものである。
【００１７】
５％を超えると、照明器具からの光出力の低下が大きくなるため、５％以内であれば、照明器具からの十分な光出力が得られる。５％以内とするには、セードの透過効率、照明器具内での反射効率、それらの組み合わせなどによって設定できる。
【００１８】
請求項３記載の照明器具は、請求項１または２記載の照明器具において、定格点灯する環形蛍光ランプから放出される光の反射率が９０％以上の高反射特性を有する反射面を具備するものである。
【００１９】
反射面は、例えば、器具本体自体に形成しても、別の反射体を用いてもよい。反射面は、例えば、アルミニウム、ステンレススチール、クロム、およびメッキなどの金属板からなり、光反射面にポリエステル樹脂や酸化チタンなどの塗装を数回、塗着および焼成などを繰り返して、５０μｍ以上、好ましくは７５μｍ以上の白色塗装を施して形成することができるが、９０％以上の高反射特性を有していれば、その塗布方法や塗料などは特に限定されるものではない。そして、現行の照明器具に用いられている反射面の反射率は９０％より低く、反射率を９０％以上とすることで高出力点灯時に比べた光出力の低下を抑制することができる。
【発明の効果】
【００２０】
請求項１記載の照明器具によれば、密閉形の照明器具に内包される二重定格を有する環形蛍光ランプを定格点灯させることにより、密閉空間の容積を６０００〜１５０００ｃｍ3の範囲とする小形の照明器具であっても、照明器具内の温度上昇を抑制できるため、環形蛍光ランプの温度特性による全光束の低下を抑制できるとともに、照明器具を小形化することができる。
【００２１】
請求項２記載の照明器具によれば、請求項１記載の照明器具の効果に加えて、セードを透過して外部へ照射する光は、環形蛍光ランプの全光束の５％以内の低下範囲にあるため、高出力点灯時に比べた照明器具からの光出力の低下を抑制することができる。
【００２２】
請求項３記載の照明器具によれば、請求項１または２記載の照明器具の効果に加えて、定格点灯する環形蛍光ランプから放出される光の反射率が９０％以上の高反射特性を有する反射面により、高出力点灯時に比べた照明器具からの光出力の低下を抑制することができる。
【図面の簡単な説明】
【００２３】
【図１】本発明の一実施の形態を示す照明器具の断面図である。
【図２】同上照明器具の本実施の形態と現行品（従来品）とを比較する反射面の反射率特性を示すグラフである。
【図３】同上照明器具の本実施の形態と現行品（従来品）とを比較する器具光束を示す表である。
【図４】同上照明器具に組み込んだ状態での環形蛍光ランプの温度特性を示すグラフである。
【図５】環形蛍光ランプを定格点灯および高出力点灯した場合の照明器具内の各部品温度を比較した表である。
【図６】環形蛍光ランプの種類と定格点灯および高出力点灯とに応じた特性を示す表である。
【発明を実施するための形態】
【００２４】
以下、本発明の一実施の形態を、図面を参照して説明する。
【００２５】
図１に示すように、照明器具11は、住宅用の天井直付け形でかつ密閉形の照明器具であり、環形蛍光ランプ12、この環形蛍光ランプ12を定格点灯させる点灯装置13、これら環形蛍光ランプ12および点灯装置13を配置する器具本体14、環形蛍光ランプ12および点灯装置13を覆って器具本体14に着脱可能に取り付けられるセード15を備え、器具本体14とセード15との間に環形蛍光ランプ12および点灯装置13を内包する密閉空間16が形成されている。
【００２６】
環形蛍光ランプ12は、環形のバルブおよびこのバルブの両端が接続された口金を有し、ＪＩＳ Ｃ７６１８に定義されているように、定格点灯および高出力点灯可能な二重定格を有する環形蛍光ランプ12である。本実施の形態では、定格電力が大小異なるＦＨＣ２０とＦＨＣ２７との２本の環形蛍光ランプ12が用いられている。
【００２７】
点灯装置13は、環形蛍光ランプ12を１０ｋＨｚ以上の高周波で定格点灯させるインバータ回路などを備えている。すなわち、環形蛍光ランプ12の定格点灯専用の点灯装置13が用いられている。また、点灯装置13からは、環形蛍光ランプ12の口金に接続される図示しないソケットが配線によって引き出されている。
【００２８】
器具本体14は、円盤状に形成され、周辺部にはセード15が嵌合する縁部19が形成されている。器具本体14の下面には、器具本体14の周辺域に対向する位置に環形蛍光ランプ12を着脱可能に装着する複数のランプホルダ20が取り付けられ、器具本体14の中央域に点灯装置13が取り付けている。さらに、器具本体14の下面周辺域には、セード15が着脱可能に取り付けられる複数のセード取付金具21が取り付けられている。
【００２９】
器具本体14の下面は、環形蛍光ランプ12から放出される光を反射する反射面22に形成されている。この反射面22は、高反射塗装処理が施されており、定格点灯する環形蛍光ランプ12から放出される光の反射率が９０％以上の高反射特性を有する。そして、器具本体14には、例えば、鋼板の少なくとも反射面22側に、酸化チタンなどの光反射粒子を含む白色顔料を含有した樹脂層が厚さ０．８ｍｍ程度に塗布形成された高反射率の白色プレコート鋼板が用いられる。
【００３０】
図２には、本実施の形態と現行品（従来品）とを比較する反射面の反射率特性のグラフを示し、横軸が波長、縦軸が反射率である。この比較において、どちらも二重定格の環形蛍光ランプ12を使用したものであるが、本実施の形態の反射面22は反射率９０％を超える高反射特性を有するのに対して、現行品の反射面の反射率は８０％程度である。
【００３１】
図３には、本実施の形態と現行品（従来品）との器具光束を比較する表を示す。本実施の形態は反射率９０％を超える高反射特性を有する反射面22を用いて環形蛍光ランプ12を定格点灯をしたものであり、現行品は反射率８０％程度の反射面を用いて環形蛍光ランプ12を高出力点灯したものである。現行品では環形蛍光ランプ12を高出力点灯しているため、ランプ光束については、本実施の形態の環形蛍光ランプ12を定格点灯するよりも高い値となる。しかし、反射面で反射した反射光を含む器具外へ出射する光を測定した器具光束については、本実施の形態では高反射特性を有する反射面22を用いているので、現行品と略同等の値となり、したがって、器具効率は本実施の形態の方が現行品より高い結果となったことがわかる。
【００３２】
セード15は、光透過性および拡散性を有する乳白色の樹脂にて、直径５００ｍｍ、軸中心高さ４０ｍｍ、容積８０００ｃｍ3の下方になだらかに湾曲突出した形状に形成されている。セード15の周辺部には、器具本体14に嵌合する嵌合部25が形成され、この嵌合部25にセード取付金具21に取り付けられる取付部26が形成されている。
【００３３】
そうして、点灯装置13により環形蛍光ランプ12を定格点灯させることにより、環形蛍光ランプ12から放出される光のうち、一部はセード15を直接入射して透過し、一部は反射面22で反射した後にセード15に入射して透過し、セード15を透過した光で照明する。
【００３４】
また、図４には、照明器具11に組み込んだ状態での環形蛍光ランプ12の温度特性を示すグラフである。横軸に環形蛍光ランプ12の周囲温度つまり密閉空間16の温度、縦軸に環形蛍光ランプ12の全光束を示し、高出力点灯させた場合の温度特性を破線にて示し、定格点灯させた場合の温度特性を実線にて示す。また、密閉空間16の容積は同一とする。
【００３５】
その結果、環形蛍光ランプ12を高出力点灯させた場合には、周囲温度が２５℃付近で全光束が最大となるが、これはあくまで理想的な周囲温度の場合であり、密閉形の照明器具11では実際の周囲温度がもっと上昇し、例えば４２℃付近まで上昇し、全光束の最大値に比べて全光束の低下が著しい傾向がある。
【００３６】
環形蛍光ランプ12を定格点灯させた場合には、周囲温度が３０℃付近で全光束が最大となり、温度上昇について全光束は低下するものの、周囲温度が４２℃付近での全光束の低下は高出力点灯させた場合に比べて少ない。
【００３７】
すなわち、周囲温度が２５℃付近では、高出力点灯時の全光束と定格点灯時の全光束との差が１７００ｌｍ程度であったのに対して、周囲温度が４２℃付近では、高出力点灯時の全光束と定格点灯時の全光束との差が１１００ｌｍ程度まで減少する。
【００３８】
この結果は、実際の使用環境において、環形蛍光ランプ12を定格点灯させたときでも、高出力点灯時に比べて、照明器具11からの光出力の低下は比較的少ないことを意味している。
【００３９】
また、図５には、環形蛍光ランプ12を定格点灯および高出力点灯した場合の照明器具11内の各部品温度を比較した表を示す。この表からもわかるように、環形蛍光ランプ12を定格点灯した場合には、高出力点灯した場合に比べて、最大で１５℃程度の温度低減が得られた。
【００４０】
そして、密閉形の照明器具11でも、環形蛍光ランプ12を定格点灯させることにより、高出力点灯時に比べて、照明器具11内の温度上昇を抑制できる。そのため、定格点灯させる環形蛍光ランプ12の全光束が最大となる周囲温度付近で使用できるようになり、高出力点灯時に比べて、環形蛍光ランプ12の温度特性による全光束の低下を抑制できる。
【００４１】
そのうえで、セード15を透過して外部へ照射する光は、環形蛍光ランプ12の全光束の５％以内の低下範囲にすることにより、高出力点灯時に比べた照明器具11からの光出力の低下を抑制することができる。この光損失を５％以内とするには、セード15の透過効率、照明器具11内での反射効率、およびそれらの組み合わせなどによって設定することができる。高出力点灯時には、環形蛍光ランプ12の全光束が大きいため、光損失が５％を超えていて照明器具11からの光出力が低下しても、影響が少ないが、定格点灯時には、高出力点灯時に比べて環形蛍光ランプ12の全光束が少ないため、光損失が５％を超えていると、照明器具11からの光出力がより低下してしまう。
【００４２】
さらに、定格点灯する環形蛍光ランプ12から放出される光の反射率が９０％以上の高反射特性を有する反射面22を用いることにより、高出力点灯時に比べた照明器具11からの光出力の低下を抑制することができる。現行の照明器具11に用いられている反射面22の反射率は９０％より低く、高出力点灯時には、環形蛍光ランプ12の全光束が大きいため、反射率が９０％より低くて照明器具11からの光出力の影響が少ないが、定格点灯時には、高出力点灯時に比べて環形蛍光ランプ12の全光束が少ないため、反射率が９０％より低いと、照明器具11からの光出力がより低下してしまう。
【００４３】
また、密閉形の照明器具11でも、環形蛍光ランプ12を定格点灯させることにより、高出力点灯時に比べて、照明器具11内の温度上昇を抑制することができるため、照明器具11を小形化することができる。すなわち、密閉空間16の容積を６０００〜１５０００ｃｍ3の範囲とする小形の照明器具11とすることができ、高出力点灯させる場合に必要な密閉空間16の容積に比べて、３０％程度の小形化ができる。
【符号の説明】
【００４４】
11    照明器具
12    環形蛍光ランプ
13    点灯装置
14    器具本体
15    セード
16    密閉空間
22    反射面
【図１】
2011018475.tif 000003
【図２】
2011018475.tif 000004
【図３】
2011018475.tif 000005
【図４】
2011018475.tif 000006
【図５】
2011018475.tif 000007
【図６】
2011018475.tif 000008